(57)【要約】  本発明により、着用者の手首等に取り付けるというような、識別タグを選択された着用者又は物体にしっかり取り付けるために、識別タグ、及び関連タグシステムが提供される。識別タグは、着用者関連の識別情報及び他の識別情報を、人間読み取り可能な、或いは機械読み取り可能な形で受け取るようにされた、比較的コンパクトで実質的な平面構造を備える。この情報記載タグは、選択された着用者又は物体に取り付けるためのリストバンド、又はブレスレットのような細長く曲げやすいストラップ、又はバンドへの素早く簡単な組み付けに適応している。１つの好ましい形態としては、識別タグが、着用者関連情報をリモートのリーダと通信するのに適応した無線周波識別（ＲＦＩＤ）回路を搭載するものである。比較的広域かつ比較的平たんな情報記載表面領域を提供された、曲げやすいストラップを用いて組み付けられる識別タグを含むタグシステムは、幼児又は小さな子供のような、小さな着用者又は物体で特に有用である。
2007517282.tif 000002
【特許請求の範囲】
【請求項１】
特定の着用者、又は物体と関連付けられる情報を受け取るための手段を含む識別タグと、
細長く曲げやすいストラップ、及び、前記特定の着用者又は物体の一部分のまわりに巻きつけられる、選択された外周サイズの閉じた輪の形状で、前記ストラップを構成及び保持するための関連固定手段と、
を備え、前記識別タグが、前記ストラップの外側に取り付けられ、前記ストラップの幅を超えて伸びるようなサイズ及び形状を持つ
ことを特徴とする、識別タグシステム。
【請求項２】
前記識別タグ上の前記情報受け取り手段は、前記タグを前記ストラップ上に取り付けた時に該タグのボード外に現れる表面を備える情報記載表面領域を備え、かつ該情報記載表面領域上に保持される、前記特定の着用者又は物体と関連付けられる情報をさらに含む
ことを特徴とする、請求項１に記載の識別タグシステム。
【請求項３】
前記情報を、前記情報記載表面領域上にプリントする
ことを特徴とする、請求項２に記載の識別タグシステム。
【請求項４】
前記情報を、人間読み取り可能な形で、前記情報記載表面領域上にプリントする
ことを特徴とする、請求項２に記載の識別タグシステム。
【請求項５】
前記情報を、機械読み取り可能な形で、前記情報記載表面領域上にプリントする
ことを特徴とする、請求項２に記載の識別タグシステム。
【請求項６】
機械読み取り可能な形の前記情報が、バーコードデータを含む
ことを特徴とする、請求項５に記載の識別タグシステム。
【請求項７】
前記情報を、人間読み取り可能な形、及び機械読み取り可能な形で、前記情報記載表面領域上にプリントする
ことを特徴とする、請求項２に記載の識別タグシステム。
【請求項８】
前記識別タグ上の前記情報受け取り手段は、該タグで保持される無線周波識別（ＲＦＩＤ）回路をさらに備える
ことを特徴とする、請求項２に記載の識別タグシステム。
【請求項９】
前記識別タグ上の前記情報受け取り手段は、該タグで保持される無線周波識別（ＲＦＩＤ）回路を備える
ことを特徴とする、請求項１に記載の識別タグシステム。
【請求項１０】
前記タグが多層構造を有し、さらに、前記ＲＦＩＤ回路が該タグ内に埋め込まれる
ことを特徴とする、請求項９に記載の識別タグシステム。
【請求項１１】
前記識別タグが、比較的堅く、概して平面の構造を備え、かつ前記曲げやすいストラップが、比較的柔らかく従順な構造を備える
ことを特徴とする、請求項１に記載の識別タグシステム。
【請求項１２】
前記識別タグは、少なくとも１つのスロットが、それを通した前記ストラップのスライドフィット受け入れのために、そこに形成される
ことを特徴とする、請求項１に記載の識別タグシステム。
【請求項１３】
前記識別タグは、一組のスロットが、それを通した前記ストラップのスライドフィット受け入れのために、そこに形成され、配置される
ことを特徴とする、請求項１に記載の識別タグシステム。
【請求項１４】
前記識別タグは、長い次元、及び短い次元を定める概して長方形の形状を持ち、さらに、前記一組のスロットが、それを通した前記ストラップのスライドフィット受け入れのために、前記タグ内に形成されて、その前記長い次元を前記ストラップの長い次元におおまかに合わせるように、前記タグを配向する
ことを特徴とする、請求項１３に記載の識別タグシステム。
【請求項１５】
前記識別タグは、長い次元、及び短い次元を定める概して長方形の形状を持ち、さらに、前記一組のスロットが、それを通した前記ストラップのスライドフィット受け入れのために、前記タグ内に形成されて、その前記長い次元が前記ストラップの長い次元に対して概して垂直に伸びているように、前記タグを配向する
ことを特徴とする、請求項１３に記載の識別タグシステム。
【請求項１６】
前記識別タグ上の前記情報記載表面領域の相当な部分が、前記ストラップから横向きに伸びる
ことを特徴とする、請求項２に記載の識別タグシステム。
【請求項１７】
互いに取り外し可能に相互接続された識別タグの供給物、及び前記情報を前記識別タグのうちの１つに付加するための少なくとも１つのプロセッサ機構
をさらに含み、結果として生じる前記情報記載タグは、前記ストラップ上への取り付けのために、前記供給物から分離可能である
ことを特徴とする、請求項１に記載の識別タグシステム。
【請求項１８】
取り外し可能に相互接続された識別タグの前記供給物は、ロールの形で提供される
ことを特徴とする、請求項１７に記載の識別タグシステム。
【請求項１９】
取り外し可能に相互接続された識別タグの前記供給物は、シートの形で提供される
ことを特徴とする、請求項１７に記載の識別タグシステム。
【請求項２０】
各々が前記ストラップの幅を超えて伸びるようなサイズ及び形状を有する、前記曲げやすいストラップの外側に取り付けられた、複数の前記識別タグ
をさらに含むことを特徴とする、請求項１に記載の識別タグシステム。
【請求項２１】
前記識別タグの少なくとも１つが、色分けされている
ことを特徴とする、請求項２０に記載の識別タグシステム。
【請求項２２】
各々が、特定の群の人々又は物体に関する情報を受け取るための手段を含む、識別タグの関連群、及び複数の曲げやすいストラップ
をさらに含み、前記識別タグの各々は、取り外し可能に互いに相互接続され、前記曲げやすいストラップへのそれぞれの取り付けのために、互いに分離可能である
ことを特徴とする、請求項１に記載の識別タグシステム。
【請求項２３】
識別タグの群が、少なくとも１つの相対的に大きいタグ、及び少なくとも１つの比較的より小さいタグを含む
ことを特徴とする、請求項２２に記載の識別タグシステム。
【請求項２４】
前記識別タグが、前記特定の着用者、又は物体と関連付けられる情報を受け取るための手段を含む、少なくとも１つの取り外し可能なラベルをさらに含む
ことを特徴とする、請求項１に記載の識別タグシステム。
【請求項２５】
前記少なくとも１つの取り外し可能なラベルが、複数の取り外し可能なラベルを備える
ことを特徴とする、請求項２４に記載の識別タグシステム。
【請求項２６】
前記ラベルが裏側接着ラベルを含む
ことを特徴とする、請求項２４に記載の識別タグシステム。
【請求項２７】
第１の部分、及び第２の部分を有するプリント可能用紙
をさらに含み、前記情報受け取り手段が上の方に呈示されたプリント可能領域を備えている前記識別タグが、前記第１の用紙部分内に形成され、かつ前記第２の用紙部分は、各々が前記特定の着用者又は物体と関連付けられる情報を受け取るための手段を含む、複数の裏側接着ラベルを含む
ことを特徴とする、請求項１に記載の識別タグシステム。
【請求項２８】
特定の着用者又は物体の一部分のまわりに巻きつけられる、選択された外周サイズの閉じた輪で、ストラップを構成及び保持するための固定手段と関連付けられる、細長く曲げやすい前記ストラップに取り付けるための識別タグであって、
比較的堅く、概して平面の構造を持ち、特定の着用者又は物体と関連付けられる情報を受け取るための手段を含む識別タグと、
前記ストラップの幅を超えて伸びるようなサイズ及び形状を有する前記タグを、該ストラップの外側に取り付けるための手段と、
を備えることを特徴とする、識別タグ。
【請求項２９】
前記識別タグ上の前記情報受け取り手段が、該タグを前記ストラップに取り付けた時、該タグのボード外に現れる表面を含む情報記載表面領域を備え、さらに、前記情報記載表面領域上に保持される、前記特定の着用者又は物体と関連付けられる情報を含む
ことを特徴とする、請求項２８に記載の識別タグ。
【請求項３０】
前記情報を、前記情報記載表面領域上にプリントする
ことを特徴とする、請求項２９に記載の識別タグ。
【請求項３１】
前記情報を、人間読み取り可能な形、及び機械読み取り可能な形のうちの選択された一方、或いは両方の形で、前記情報記載表面領域上にプリントする
ことを特徴とする、請求項２９に記載の識別タグ。
【請求項３２】
機械読み取り可能な形の前記情報は、バーコードデータを含む
ことを特徴とする、請求項３１に記載の識別タグ。
【請求項３３】
前記識別タグ上の前記情報受け取り手段が、前記タグで保持される無線周波識別（ＲＦＩＤ）回路を備える
ことを特徴とする、請求項２８に記載の識別タグ。
【請求項３４】
前記タグが多層構造を有し、さらに、前記ＲＦＩＤ回路が前記タグ内に埋め込まれる
ことを特徴とする、請求項３３に記載の識別タグ。
【請求項３５】
前記識別タグは、少なくとも１つのスロットが、それを通した前記ストラップのスライドフィット受け入れのため、そこに形成される
ことを特徴とする、請求項２８に記載の識別タグ。
【請求項３６】
前記識別タグは、一組のスロットが、それを通した前記ストラップのスライドフィット受け入れのため、そこに形成され、配置される
ことを特徴とする、請求項３５に記載の識別タグ。
【請求項３７】
前記タグを前記ストラップに取り付ける時、該識別タグ上の前記情報記載表面領域の相当な部分が、前記ストラップから横向きに伸びる
ことを特徴とする、請求項２９に記載の識別タグ。
【請求項３８】
前記識別タグが、前記特定の着用者、又は物体と関連付けられる情報を受け取るための手段を含む少なくとも１つの取り外し可能なラベルを、さらに含む
ことを特徴とする、請求項２８に記載の識別タグ。
【請求項３９】
前記少なくとも１つの取り外し可能なラベルが、複数の取り外し可能なラベルを含む
ことを特徴とする、請求項３８に記載の識別タグ。
【請求項４０】
前記ラベルが、裏側接着ラベルを含む
ことを特徴とする、請求項３８に記載の識別タグ。
【請求項４１】
第１の部分、及び第２の部分を有するプリント可能用紙、
をさらに含み、前記情報受け取り手段が上の方に呈示されるプリント可能領域を備えている前記識別タグは、前記第１の用紙部分内に形成され、かつ前記第２の用紙部分は、各々が前記特定の着用者、又は物体と関連付けられる情報を受け取るための手段を含む複数の裏側接着ラベルを含む
ことを特徴とする、請求項２８に記載の識別タグシステム。
【請求項４２】
各々が、特定の着用者、又は物体と関連付けられる情報を受け取るための手段を含む識別タグの供給物と、
細長く曲げやすいストラップの供給物、及び該ストラップの各々を、前記特定の着用者、の一部分のまわりに巻きつけられる、選択された外周サイズの閉じた輪の形状で構成し、保持するための関連固定手段と、
を備え、前記識別タグの各々は、前記ストラップのうちの関連する１つの外側に取り付けられ、該関連ストラップの幅を超えて伸びるようなサイズおよび形状を持つ
ことを特徴とする、識別タグシステム。
【請求項４３】
前記タグを前記関連ストラップに取り付ける時、該識別タグの各々上の前記情報受け取り手段は、そのボード外に現れる表面上に情報記載表面領域を備え、さらに、該情報記載表面領域で保持される、前記特定の着用者又は物体と関連付けられる情報を含む
ことを特徴とする、請求項４２に記載の識別タグシステム。
【請求項４４】
前記情報を、前記情報記載表面領域上にプリントする
ことを特徴とする、請求項４３に記載の識別タグシステム。
【請求項４５】
前記情報を、人間読み取り可能な形、機械読み取り可能な形のうちの選択された一方、又は両方の形で、前記情報記載表面領域上にプリントする
ことを特徴とする、請求項４４に記載の識別タグシステム。
【請求項４６】
機械読み取り可能な形の前記情報は、バーコードデータを含む
ことを特徴とする、請求項４５に記載の識別タグシステム。
【請求項４７】
前記識別タグの各々上の前記情報受け取り手段が、無線周波識別（ＲＦＩＤ）回路を備える
ことを特徴とする、請求項４２に記載の識別タグシステム。
【請求項４８】
前記識別タグの各々は多層構造を有し、さらに、それと関連付けられる前記ＲＦＩＤ回路は、前記識別タグ内に埋め込まれる
ということを特徴とする、請求項４７に記載の識別タグシステム。
【請求項４９】
前記識別タグの各々は、比較的堅く、概して平面の構造を備え、かつ、前記曲げやすいストラップの各々は、比較的柔らかく従順な構造を備える
ことを特徴とする、請求項４２に記載の識別タグシステム。
【請求項５０】
前記識別タグの各々は、少なくとも１つのスロットが、それを通した前記関連ストラップのスライドフィット受け入れのため、そこに形成される
ことを特徴とする、請求項４２に記載の識別タグシステム。
【請求項５１】
前記識別タグの各々は、一組のスロットが、それを通した前記関連ストラップのスライドフィット受け入れのため、そこに形成され、配置される
ことを特徴とする、請求項４２に記載の識別タグシステム。
【請求項５２】
前記タグを前記関連ストラップに取り付ける時、該識別タグの各々上の前記情報記載表面領域の相当な部分が、前記関連ストラップから横向きに伸びる
ことを特徴とする、請求項４３に記載の識別タグシステム。
【請求項５３】
識別タグの前記供給物は、互いに取り外し可能に相互接続される複数の前記識別タグを備え、
前記情報を前記識別タグの各々に付加するための、少なくとも１つのプロセッサ機構
をさらに含み、結果として生じる前記情報記載タグの各々が、前記関連ストラップへの取り付けのため、前記複数の識別タグから分離可能である
ことを特徴とする、請求項４２に記載の識別タグシステム。
【請求項５４】
前記識別タグの少なくとも１つが色分けされる
ことを特徴とする、請求項４２に記載の識別タグシステム。
【請求項５５】
前記取り外し可能に相互接続された複数の識別タグが、ロールの形で提供される
ことを特徴とする、請求項５３に記載の識別タグシステム。
【請求項５６】
前記取り外し可能に相互接続された複数の識別タグが、シートの形で提供される
ことを特徴とする、請求項５３に記載の識別タグシステム。
【請求項５７】
識別タグの前記供給物が、
各々が、特定の群の人々又は物体に関する情報を受け取るための手段を含み、互いに取り外し可能に相互接続され、かつ前記曲げやすいストラップへのそれぞれの取り付けのために互いに分離可能である、識別タグの関連群
を備えることを特徴とする、請求項４２に記載の識別タグシステム。
【請求項５８】
前記識別タグの関連群が、少なくとも１つの相対的に大きいタグ、及び少なくとも１つの比較的より小さいタグを含む
ことを特徴とする、請求項５７に記載の識別タグシステム。
【請求項５９】
前記識別タグの各々が、前記特定の着用者又は物体と関連付けられる情報を受け取るための手段を含む、少なくとも１つの取り外し可能なラベルをさらに含む
ことを特徴とする、請求項４２に記載の識別タグシステム。
【請求項６０】
前記少なくとも１つの取り外し可能なラベルが、複数の取り外し可能なラベルを含む
ことを特徴とする、請求項５９に記載の識別タグシステム。
【請求項６１】
第１の部分、及び第２の部分を有するプリント可能用紙
をさらに含み、前記情報受け取り手段が上の方に呈示されたプリント可能領域を備えている前記識別タグが、前記第１の用紙部分内に形成され、かつ、前記第２の用紙部分が、各々が前記特定の着用者又は物体と関連付けられる情報を受け取るための手段を含む、複数の裏側接着ラベルを含む
ことを特徴とする、請求項４２に記載の識別タグシステム。
【請求項６２】
特定の着用者、又は物体の一部分のまわりに巻き付けられる、選択された外周サイズの閉じた輪の形状でストラップを構成、及び保持するための関連固定手段を有する細長く、曲げやすい該ストラップに取り付けるようにされた少なくとも１つの識別タグを定める第１の部分、を含むプリント可能用紙と、
前記特定の着用者、又は物体と関連付けられるプリント情報を受け取るための、上の方に呈示されるプリント可能領域を定める、前記少なくとも１つの識別タグと、
各々が前記特定の着用者、又は物体と関連付けられるプリント情報を受け取るためのプリント可能領域を定めることを含む複数の取り外し可能な裏側接着ラベルを定める第２の部分、をさらに含む前記プリント可能用紙と、
を備えることを特徴とする、識別タグシステム。
【請求項６３】
特定の着用者、又は物体の一部分のまわりに巻き付けられる、選択された外周サイズの閉じた輪の形状でストラップを構成、及び保持するための関連固定手段を有する、細長く曲げやすい該ストラップ、
をさらに含むことを特徴とする、請求項６２に記載の識別タグシステム。
【請求項６４】
前記第１、及び第２の用紙部分は分離可能である
ことを特徴とする、請求項６２に記載の識別タグシステム。
【請求項６５】
前記ラベルの各々は、剥ぎ取り式ラベルを備える
ことを特徴とする、請求項６２に記載の識別タグシステム。
【請求項６６】
前記用紙の第１の部分で定められる前記少なくとも１つの識別タグは、複数の識別タグを含む
ことを特徴とする、請求項６２に記載の識別タグシステム。
【請求項６７】
前記複数の識別タグの少なくとも１つが色分けされる
ことを特徴とする、請求項６６に記載の識別タグシステム。
【請求項６８】
前記少なくとも１つの識別タグが、透明な保護カバーフィルムを含む
ことを特徴とする、請求項６２に記載の識別タグシステム。
【請求項６９】
前記少なくとも１つの識別タグが、多層構造を有する
ことを特徴とする、請求項６２に記載の識別タグシステム。
【請求項７０】
前記プリント情報を、前記少なくとも１つの識別タグ、及び前記ラベルの各々に、人間読み取り可能な形でプリントする
ことを特徴とする、請求項６２に記載の識別タグシステム。
【請求項７１】
前記プリント情報を、前記少なくとも１つの識別タグ、及び前記ラベルの各々に、機械読み取り可能な形でプリントする
ことを特徴とする、請求項６２に記載の識別タグシステム。
【請求項７２】
前記プリント情報を、前記少なくとも１つの識別タグ、及び前記ラベルの各々に、人間読み取り可能な形、及び機械読み取り可能な形でプリントする
ことを特徴とする、請求項６２に記載の識別タグシステム。
【請求項７３】
前記少なくとも１つの識別タグは、少なくとも１つのスロットが、それを通した前記ストラップのスライドフィット受け入れのため、そこに形成される
ことを特徴とする、請求項６２に記載の識別タグシステム。
【請求項７４】
前記少なくとも１つの識別タグが、各々が特定の群の人々又は物体に関する情報を受け取るための手段を含み、互いに取り外し可能に相互接続され、前記曲げやすいストラップへのそれぞれの取り付けのために互いに分離可能な、識別タグの関連群を備える
ことを特徴とする、請求項６２に記載の識別タグシステム。
【請求項７５】
前記第１の用紙部分が、その前面に前記プリント可能領域を定める第１の表面層と、前記第１の表面層の下にある透明な裏当てシートと、前記裏当てシートの前面をコーティングする透明な接着フィルムと、前記プリント可能領域に対応する裏側の部分をコーティングしないまま残すと同時に、前記第１の表面層の裏側をコーティングする剥離フィルムとを備え、
前記裏当てシートが、前記プリント可能領域の下にある第１の部分、及びその片側において前記第１の部分と隣接し、実質的に前記第１の部分の鏡映しとなるサイズ及び形状を有する第２の部分、をさらに含み、
前記プリント可能領域が、前記接着フィルムによって、前記裏当てシートの前記下にある第１の部分に接着され、
前記第１の表面層、及び前記裏当てシートが、前記プリント可能領域、及び前記裏当てシートの前記第１及び第２の部分の、ユニットとしての型抜き分離を可能にするように、あらかじめ形成されたもろい線を含み、
前記裏当てシートの前記第２の部分が、前記プリント可能領域の前面にわたって折り畳み可能で、その上のプリント情報の上に重なり、保護する
ことを特徴とする、請求項６２に記載の識別タグシステム。
【請求項７６】
前記第２の用紙部分が、前記複数のラベルを定める第２の表面層と、前記第１、第２の表面層の下にある第２の裏当てシートと、前記第２の表面層の裏側をコーティングする透明な接着フィルムと、前記第２の裏当てシートの前面をコーティングする剥離フィルムとを備える
ことを特徴とする、請求項７５に記載の識別タグシステム。
【請求項７７】
前記第１、及び第２の表面層が、共通シートを備える
ことを特徴とする、請求項７６に記載の識別タグシステム。
【請求項７８】
前記プリント可能用紙が、前記第１及び第２の用紙部分にわたって広がる表面層と、前記表面層の下にあり、また前記第１及び第２の用紙部分にわたって広がる裏当てシートと、前記表面層の裏側をコーティングする接着フィルムと、前記裏当てシートの前面をコーティングする剥離フィルムとを備え、
前記第１の用紙部分内の前記表面層が、前記少なくとも１つのプリント可能な第１の領域を定め、さらに、実質的に前記第１の領域の鏡映しとなるサイズ及び形状を持つ、隣接する第２の領域を定め、
前記第２の用紙部分内の前記表面層が、前記複数のラベルを定め、
前記表面層が、前記第１及び第２の領域の、ユニットとしての剥ぎ取り式分離を可能にするように、あらかじめ形成されたもろい線を含み、
前記第１及び第２の領域が、それらの裏側を向かい合わせの関係で配向するように、後方に折り畳み可能で、それにより、多層構造を持つ前記少なくとも１つの識別タグを形成する
ことを特徴とする、請求項６２に記載の識別タグシステム。
【請求項７９】
前記表面層が、前記第１の用紙部分内で第１の表面層材料を含み、前記第２の用紙部分内で第２の表面層材料を含む
ことを特徴とする、請求項７８に記載の識別タグシステム。
【請求項８０】
前記隣接する第２の領域が、第２のプリント可能領域を備える
ことを特徴とする、請求項７８に記載の識別タグシステム。
【請求項８１】
前記プリント可能用紙が、前記第１、及び第２の用紙部分にわたって広がる表面層と、前記表面層の下にあり、また前記第１、及び第２の用紙部分にわたって広がる裏当てシートと、前記表面層の裏側をコーティングする接着フィルムと、前記第１の用紙部分にわたる前記裏当てシートの前面をコーティングしないまま残すと同時に、前記第２の用紙部分にわたって広がるように、前記裏当てシートの前記前面をコーティングする剥離フィルムとを備え、
前記第１の用紙部分内の前記表面層が、前記少なくとも１つのプリント可能領域を定め、前記第２の用紙部分内の前記表面層が、前記複数のラベルを定め、
前記表面層、及び前記裏当てシートが各々、前記プリント可能領域、及び前記裏当てシートの下にある部分の、前記少なくとも１つの識別タグを定めるユニットとしての型抜き分離を可能にするように実質的に配置された、あらかじめ形成されたもろい線を含む
ことを特徴とする、請求項６２に記載の識別タグシステム。
【請求項８２】
前記表面層が、前記第１の用紙部分内で第１の表面層材料を含み、前記第２の用紙部分内で第２の表面層材料を含む
ことを特徴とする、請求項８１に記載の識別タグシステム。
【請求項８３】
前記プリント可能用紙が、
前記第１の用紙部分を定め、さらに、そこから分離可能な前記少なくとも１つの識別タグを定め、それらの片側の端を定める第１の表面層と、
前記用紙部分にわたって広がる第２の表面層と、前記第２の表面層の下にあって、その片側の端を定める裏当てシートと、前記第２の表面層の裏側をコーティングする接着フィルムと、前記裏当てシートの前面をコーティングする剥離フィルムと
備え、前記第２の表面層は前記複数のラベルを定めることを特徴とし、
前記第１の表面層の前記片側の端を、前記裏当てシートの前記片側の端と接続するための手段
がさらに設けられたことを特徴とする、請求項６２に記載の識別タグシステム。
【請求項８４】
前記接続手段が、接着ビードを備える
ことを特徴とする、請求項８３に記載の識別タグシステム。
【請求項８５】
前記接続手段が、曲げやすいウェブを備える
ことを特徴とする、請求項８３に記載の識別タグシステム。
【請求項８６】
前記第１の用紙部分で定められる前記少なくとも１つの識別タグは、前記特定の着用者又は物体と関連付けられる情報を受け取るための手段を含む、少なくとも１つの取り外し可能なラベルをさらに組み込む
ことを特徴とする、請求項６２に記載の識別タグシステム。
【発明の詳細な説明】
【技術分野】
【０００１】
本発明は、一般的には、識別タグのような識別器具の改良に関するものであり、かつ、選択された着用者又は物体への、識別タグの簡便で快適な取り付けのための、リストバンド、又はブレスレット等のような手段を含む関連システムに関するものである。
【背景技術】
【０００２】
本発明は、一般的には、識別タグのような識別器具の改良に関するものであり、かつ、選択された着用者又は物体への、識別タグの簡便で快適な取り付けのための、リストバンド、又はブレスレット等のような手段を含む関連システムに関するものである。より具体的には、本発明は、ある範囲の重要な識別データを、人間が読み取り可能及び／又は機械が読み取り可能な形式で収容するのに充分なサイズを持つ、比較的広い情報記載表面領域を提供された、幼児、又は小さい子供のような小さい着用者又は物体での使用のために特に設計された、改良された識別タグ及び関連システムを提供し、さらにそこでは、その情報記載領域は、機械読み取り可能なデータの読み取りの促進及び改善のため、比較的平たんである。
【０００３】
リストバンド、又はブレスレット、又は他の閉じた輪の要素のような識別バンドは、一般的にこの技術分野で知られており、識別バンドは、そのバンドを着けている人と関連付けられる、或いはそのバンドが装着、又は取り付けられた物体と関連付けられる何らかの形式の情報、又はデータを記載、又は保持している。従って、識別バンドによって保持される情報は、着用者とともに移動する。例えば、リストバンドとしての使用におけるような、典型的な構成では、曲げやすいプラスチック等で形成された細長く曲げやすいストラップが、許可された着用者の手首のまわりに巻きつけられ、適当な相互接続のために、その両端において、相互にはめ合う、或いは相互に噛み合わせ可能な取り付け部材を含んで、識別バンドを着用者の手首に保持する。適切な情報を、バンドの外部表面上に、又はバンドに接着したラベル上に直接プリントすることにより、或いは、そのような情報を、バンド構造内に形成されたポケット内へのスライドフィット取り付けに適応したカード等上にプリントすることによってというように、識別情報をバンドに付加する。例えば、医療施設等における患者の識別のため、軍事又は工業設備のようなセキュリティ保護された施設、及び刑務所等における人員識別、及び／又はアクセス制御のため、遊園地、及びコンサート等のようなイベントにおける保護者の識別のため、空港の乗客及び／又は手荷物の識別のため、発送された小包の識別及び追跡のため、及び動物管理等のような使用のために、このような識別バンドが広く使用、及び提案されてきた。この一般的な形式の識別バンドの例は、米国特許第４，２２１，０６３号、４，２８５，１４６号、４,３１８,２３４号、４，３８６，７９５号、５,２２６,８０９号、５，４４８，８４６号、５,４５７,９０６号、５，４７９，７９７号、５,４９３,８０５号、５,５８１,９２４号、５,６０９,７１６号、５,６１５,５０４号、５,７４０,６２３号、５,７９２,２９９号、５,７９９,４２６号、５,９７３,５９８号、５,９７３,６００号、及び５，９７９，９４１号で示され、かつ説明されており、それらは引用により本出願に組み入れられる。
【０００４】
近年、識別バンド及びタグを含む改良された識別システムは、着用者関連データを、典型的にはプリントされた、或いは手書きの英数字に限定される人間読み取り可能なデータの代わりに、又はそれに加えて、機械読み取り可能な形で組み込むように設計されている。１つの形としては、そのような機械読み取り可能な情報は、直線バーコードの形等で曲げやすいストラップ上にプリントされた、さもなければ保持され、かつ従来のバーコードリーダ等による走査用に配列されたデータを含むことができる。例えば、米国特許第５,４４８,８４６号、５,７９９,４２６号、及び５,６１５,５０４号を参照せよ。また、米国特許第６,０６１６,６１８号、及び６，５１０，６３４号も参照せよ。更なる形としては、そのような機械読み取り可能な情報は、曲げやすいストラップ上、又は内に取り付けられ、かつリモートのリーダとの適切な無線通信のために選択された着用者関連情報を受け取り、格納するようにされた無線周波識別（ＲＦＩＤ）回路又はチップを含むことができる。ＲＦＩＤ技術を含む識別バンド等の説明となる例としては、これらもまた引用により本出願に組み入れられる、米国特許第５，４９３，８０５号、５,９７３,５９８号、５,９７３,６００号、６,１８１,２８７号、及び６，４１４，５４３号、及び係属中の米国特許出願番号第１０／１０１，２１９号を参照せよ。
【０００５】
機械読み取り可能なデータを含む識別バンドは、医療施設において患者について使用される時の詳細な生物測定情報のような広範囲の着用者関連情報を、有益に組み入れることができ、そのような機械読み取り可能なデータの範囲は、従来の人間読み取り可能な形式で同じデータを受け取るためのバンドの実際的なスペース制限をはるかに超えるものであろう。言い換えると、機械読み取り可能なデータ技術は、人間読み取り可能な形でのみ情報を記載する従来技術のバンドにくらべて、識別バンドに付加することのできる、及び／又は識別バンドで保持することのできる着用者関連データの量及び範囲の実質的な増大を可能にした。患者識別システムでは、例えば、識別バンドは、基本的な患者の名前データ等を、人間読み取り可能な文字で記載又は保持することができ、また、患者の名前、年齢、性別、住所、医学的状態、アレルギー、及び／又は治療処方に関する、広範囲の同じ及び更なる情報も、機械読み取り可能な形で保持することができる。
【０００６】
曲げやすい識別バンド上、又は内での機械読み取り可能な情報の組み込みから引き出される利点、及び有利な点にもかかわらず、機械読み取り可能技術の実際的な実装には、多数の大きな欠点、及び不利な点が伴っていた。特に、直線バーコードのような幾つかの形の機械読み取り可能なデータは、バーコードリーダによる正確かつ信頼性のある読み取りのために、比較的平たんな表面を必要とする。しかしながら、個人に取り付けられた、リストバンド、又は足首ブレスレット等のような識別バンドは、本質的に曲がった構造を呈する。そのバンドを平均サイズの大人に取り付ける時、バンドの湾曲の程度、及びその結果として生じるバーコード情報の歪みが、データ読み取りに支障を来たすのには不充分であったとしても、これに対して、これは、幼児又は小さい子供のような小さい人に合うような大きさにされた比較的小さい識別バンドでは、しばしばそうではない。さらに、バンドの湾曲はまた、リモートのリーダとの通信のためのＲＦＩＤ回路の伝送、又はブロードキャスト範囲に影響を与えることができ、そのようなＲＦＩＤ回路との通信は、幼児又は小さい子供に適した小さいサイズのバンドの場合、著しく損なわれ得る。
【０００７】
さらに、着用者に快適な大きさにされた小さいサイズの識別バンドでは、そのバンド幅は、素早く簡単に見ることのできる読み取りに適したサイズで、人間読み取り可能な情報を受け取るのに、或いはバーコードリーダによる読み取りの促進に適したサイズを持つ機械読み取り可能なバーコード情報を受け取るのには不充分な表面領域を提供するであろう。同様に、小さいサイズの識別バンドは、ＲＦＩＤ回路又はチップを差し支えなく保持又は支持するためには、小さすぎるであろう。
【０００８】
さらに、人間読み取り可能、又は機械読み取り可能な形で着用者関連情報を記載、又は保持するための現行の識別バンドは、典型的には、その上への情報の永久的な刻印、及び／又はＲＦＩＤ回路又はチップを保護して支持するのに適した頑丈で耐久性のある基板を提供するように設計された、比較的堅いプラスチックベースの材料で構成される。結果として、そのような識別バンドは、比較的堅く、比較的あらく鋭いエッジを呈する傾向があり、従って、ユーザが長時間にわたって身に付けるには幾分不快なものと成り得る。さらに、そのような識別バンドは、プリントされた情報及び／又はＲＦＩＤ回路を覆う、又は水の浸入に起因する損傷から保護するように頻繁に設計される一方で、着用者の手首等のまわりに巻き付けられた留め具と関連付けられるバンドの屈曲及び曲げは、通常の使用サイクルの間の更なる屈曲及び曲げと組み合わされて、しばしば、バンドの端にしわを寄らせ、切り離し、それにより、望ましくないことに、バンド内部内に水が入ることを許してしまう。このような水の浸入は、プリントされた情報を読み取り不可能な状態にする、及び／又は包まれたＲＦＩＤ回路に損傷をもたらすような方法で、プリントされた情報を傷つけ、歪ませることができる。
【０００９】
従って、着用者関連情報を保持する形式の識別バンド、及び関連する識別システムの、及びそれらに対する更なる改良の必要性が存在し、特にそこでは、小さい幼児又は子供、又は小さな物体での使用に適した比較的小さいサイズを持つ識別ストラップ、又はバンドとともに、比較的広い面積の比較的平たんな情報保持表面が提供される。本発明は、これらの必要性を満たし、更なる関連する利点を提供する。
【００１０】
（本発明の要約）
本発明により、着用者の手首等に取り付けるというような、識別タグを選択された着用者又は物体にしっかり取り付けるために、識別タグ、及び関連タグシステムが提供される。識別タグは、着用者関連の識別情報及び他の識別情報を、人間読み取り可能な、或いは機械読み取り可能な形で受け取るようにされた、比較的コンパクトで実質的な平面構造を備える。この情報記載タグは、選択された着用者又は物体に取り付けるためのリストバンド、又はブレスレットのような細長く曲げやすいストラップ、又はバンドへの素早く簡単な組み付けに適応している。１つの好ましい形態としては、識別タグが、着用者関連情報をリモートのリーダと通信するのに適応した無線周波識別（ＲＦＩＤ）回路を搭載するものである。比較的広域かつ比較的平たんな情報記載表面領域を提供された、曲げやすいストラップを用いて組み付けられる識別タグを含むタグシステムは、幼児又は小さな子供のような、小さな着用者又は物体で特に有用である。
【００１１】
好ましい形態としては、例えば、名前、住所等のような着用者に関する基本情報のような、プリントされた人間読み取り可能な識別データを、識別タグが記載するものである。さらに、識別タグは、データをバーコード形式でタグ上にプリントすることによってというように、少なくとも幾らかの着用者関連情報を、機械読み取り可能な形で記載又は保持する。さらに、又はそのかわりに、機械読み取り可能な情報は、識別タグ上に形成される、或いは識別タグによって保持されるＲＦＩＤ回路に入力することができる。この識別タグは、識別データを様々な形式でタグに入力するための手段を含む、適切な一又は複数の印刷機構等を通して処理することに適した一元のアイテムとして、提供されることができる。そのかわりに、識別タグを、一又はそれ以上の適切な印刷機構を通して処理するために、細長いロール又はシートの形で、取り外し可能な形で提供することもできる。各構成において、識別タグは、プリント可能で、かつ実質的に平ら、又は平面の形状を保持するのに適した充分堅い基板材料で構成される。
【００１２】
識別タグは、曲げやすいストラップ又はバンドを用いた素早く簡単な組み付け向けに形成され、それは、個人の手首又は足首等のまわりに身に付けられた時に、実質的に最も快適であるように選択されたビニルベースのプラスチックのような、軽量かつ安価な材料で構成されることが好ましい。１つの形態としては、識別タグは、特定の着用者の手首等のまわりにストラップを巻きつけ、一又は複数の固定要素の適切な噛み合いにより、ストラップを閉じた輪の構成で着用者上で保持するのに先立って、曲げやすいストラップ上への素早く簡単なスライドフィット組み付けのために、空間的に離れた、一般的に平行な一組のストラップスロットを含む。本発明の１つの重要な側面により、識別タグは、ストラップの外部に取り付けられ、幅がストラップ幅を超える、比較的広い表面積を持つ情報記載表面を定める。識別タグの全体のサイズ及び形状、及びストラップに取り付ける時のそのストラップに対する配向は、タグの少なくとも相当な部分が、バーコードリーダにより、及び／又はＲＦＩＤ回路のリモートリーダとの無線通信による、というような機械読み取り可能な着用者関連情報の読み取りの促進、及び信頼性のある読み取りのために、その実質的な平面形状を充分保持するように選択される。
【００１３】
本発明の１つの形態としては、用紙シートの一部分上に識別タグを提供し、用紙シートの他の部分は、各々が、識別タグに付加された着用者関連情報と関連付けられる人間読み取り可能、及び／又は機械読み取り可能な情報を受け取り、記載するようにされた、複数の関連接着ラベルを含む。関連する代替の形としては、識別タグは、各々が着用者関連情報を人間読み取り可能な形、及び／又は機械読み取り可能な形で記載、又は保持する一又はそれ以上の取り外し可能な接着ラベルをさらに組み込むことができ、そのラベルを持つ識別タグは、ユニットとして、曲げやすいストラップ又はバンド上に取り付けるようにされている。いずれの構成においても、患者の体液の試験体を収容するガラス瓶のような、着用者に関連する他の物体への貼付の時、及びそれを必要とされるように、取り外し可能な各ラベルを切り離すことができる。
【００１４】
更なる代替の好ましい形態としては、複数の識別タグを、ロール又はシートの形で、及び適切な着用者関連識別情報を記載又は保持するようにされた関連セット内に提供し、医療施設環境においては、タグの各ペアが、それぞれ、母親、及び幼児の手首又は足首等への取り付けに適当なサイズ、及び形状にされている。
【００１５】
更なる代替の好ましい形態としては、複数の識別タグを１人の着用者に取り付けるために使用される単一の曲げやすいストラップを用いて、その複数の識別タグを組み付けることができる。各識別タグ、又は複数の識別タグのうちの選択された１つを色分けして、例えば、特定の患者等と関連付けられる特定の医学的状態のような、一又はそれ以上の選択された状況を示すことができる。
【００１６】
本発明の他の特徴、及び利点は、本発明の原理を例として示す添付図面と組合せて解釈される以下の詳細な説明から、より明らかになるであろう。
【００１７】
添付図面は、本発明を例証するものである。
【００１８】
（好ましい実施形態の詳細な説明）
例示の図面に示すように、一般的に図１及び３において、参照番号１０で参照される改良された識別タグシステムは、許可された着用者の手首１２（図１）のまわりに取り付けることによってというように、選択された人、又は特定の物体への取り付けのために提供される。識別タグシステム１０は、着用者関連識別情報及び他の情報を人間読み取り可能、及び／又は機械読み取り可能な形で受け取るようにされた、比較的コンパクトな実質的に平面構造の形で、識別タグ１４を備える。情報記載識別タグ１４は、選択された着用者又は物体への取り付けのための、リストバンド、又はブレスレット等のような細長く曲げやすいストラップ又はバンド１６への素早く簡単な組み付けに適応している。比較的広域かつ比較的平らな情報記載表面領域を提供された、曲げやすいストラップ１６を用いて組み付けられる識別タグ１４を含む、この識別タグシステム１０は、特に、幼児又は小さい子供のような小さな着用者又は物体で有用であるが、それらに限定されず、さらに、ストラップ１６を、実質的に最も快適であるように選択された、比較的柔かく従順な材料で構成することを可能にする。
【００１９】
図１〜３において、１つの好ましい形態として、識別タグ１４を示しており、この識別タグ１４は、一般的には、使用者が快適であるように滑らかに丸くされた角を持つ、比較的堅く一般的な長方形構造を備える。このタグ１４は、人間読み取り可能、及び／又は機械読み取り可能な形でそこに付加されるプリント情報を受け取り、記載するのに適した材料で構成される。図３は、タグ１４の右手側に刻まれた直線、又は行列バーコード２０のような機械読み取り可能な情報と組合せて、タグ１４の（図３に示すように）左手側に刻まれた、着用者の名前、住所、識別番号等の人間読み取り可能な情報１８を示している。そのようなバーコード２０は、タグシステム１０を患者の識別ブレスレットとして使用する時、患者の状態、治療の処方等のような更なるデータと共に、人間読み取り可能な情報１８の複製を含むがそれらに限定されない、広範囲の着用者関連データを表現することができる。バーコード２０は、（図１〜３に示されない）従来のバーコードリーダによる素早く、簡単な読み取りに適応される。
【００２０】
１つの好ましい形態としては、識別タグ１４は、紙、合成紙、及び／又はポリエステル、及びテクスチャポリエチレン等のようなプラスチック材料の積層を含むことができる多層構造を持つことができる。そのような構成では、識別タグ１４が、従来のプリンタ技術によってというように、そこに付加される着用者関連情報を受け取り、記載し、及び／又は支持するための比較的丈夫で耐久性のある基板を提供する、比較的堅いが幾分曲げやすい、或いは従順な構造を持つ。１つの形態としては、タグ１４を熱感度のために表面処理することができ、それにより、熱型プリンタにより、着用者関連情報１８、２０をそこにプリントすることができる。他の形態として、レーザプリンタ等を含むが、それらに限定されない他の形式のプリンタを使用することができる。幾つかの形態では、プリント情報を、タグ１４の外部表面に直接付加することができるが、これに対して、他の形態では、タグ１４が、プリント情報がそこに付加される内部層の上に重なり、保護するための透明なカバー層を組み込むことができる。広範囲の様々な材料及び構成、及び関連する製造方法を使用して、識別タグ１４を形成することができるということを、当業者は認識し、わかるであろう。
【００２１】
図２は、タグを形成する複数の層間に、保護するように覆われた形で、通信回路又はチップ等をタグ１４内に埋め込むよって、というように識別タグ１４内に内蔵された無線周波識別（ＲＦＩＤ）回路２２を示している。このＲＦＩＤ回路２２は、（これもまた図１〜３に示されない）リモートリーダとの適切な無線通信のために、広範囲の可能性のある詳細な着用者関連情報を受け取り、格納するようにされる。ＲＦＩＤ技術を含む識別バンド等の説明例として、引用により本出願に組み入れられる、米国特許第５,４９３,８０５号、５,９７３,５９８号、５,９７３,６００号、６,１８１,２８７号、及び６,４１４,５４３号、及び係属中の米国特許出願第１０／１０１,２１９号を参照せよ。
【００２２】
このように構成された識別タグ１４は、曲げやすいストラップ１６への素早く簡単な組み付けに適応しており、ひいては、選択された着用者又は物体への素早く簡単な取り付けに適応している。図１〜３は、タグ１４の向かい合った両端の近く、又は隣接して位置するそれぞれの位置において、そこに形成される一組の離れていて、一般的に平行なストラップスロット２４を含む、識別タグ１４を示しており、そこでは、これらのスロット２４は、曲げやすいストラップ１６の自由端のスライドフィット受け入れに合わせたサイズ、及び形状にされる。従って、識別タグ１４は、ストラップ１６の長さに沿ってスライドさせて配置することができ、人間読み取り可能なデータ１８の直接の視覚的な読み取りのため、及びバーコードデータのような機械読み取り可能なデータ２０の直接光学走査のため、及び／又はＲＦＩＤ回路との無線通信のため、刻印された着用者関連情報１８、２０をタグ１４の外側に記載、さもなければ目に見えるように表示する。
【００２３】
曲げやすいストラップ１６の反対側の端は、典型的には、ストラップ１６を着用者の手首１２等のまわりに巻きつける選択されたサイズの閉じた輪の構成（図１）で支持及び保持するために、ストラップの自由端の近くに形成され、長手方向に間隔を空けて配置された複数の開口２８のうちの１つのような構造を受け、及び／又は噛み合うようにされた一又は複数の固定要素２６を含む、又は保持する。例示の図面（図３）が、ストラップ１６の反対側の端における一組のスナップフィット形式の固定要素２６を示す一方で、ストラップ開口２８の選択された１つを通してのこれらのスナップばめ要素２６の相互噛み合いのために、異なる様々なストラップ構成、及び関連固定デバイスを用いることができる。この点に関しては、引用により本出願に組み入れられる米国特許第４，２２１，０６３号、４,２８５,１４６号、４,３１８,２３４号、４,３８６,７９５号、５,２２６,８０９号、５,４４８,８４６号、５,４５７,９０６号、５,４７９,７９７号、５,４９３,８０５号、５,５８１,９２４号、５,６０９,７１６号、５,６１５,５０４号、５,７４０,６２３号、５,７９２,２９９号、５,７９９,４２６号、５,９７３,５９８号、５,９７３,５００号、及び５,９７９,９４１号が、曲げやすいストラップを、選択された直径サイズの閉じた輪の形状で素早く簡単に保持するための、広範囲の様々な形式の固定構造を開示する。
【００２４】
本発明の１つの重要な側面より、曲げやすいストラップ１６を、実質的に着用者の皮膚の大きな擦り傷を生じることなく、実質的に着用者が最も快適であるように選択された、軽量で安価な非常に曲げやすい、又は従順な柔らかいプラスチック材料で構成することができる。すなわち、その上に着用者関連情報を直接プリントするように、及び／又はＲＦＩＤ回路又はチップを保護して支持するように設計された形式の従来の識別バンドは、幾分鋭く粗いものとなり得るエッジを定める、比較的堅い構造を呈しており、使用者が長時間身に付けるのには不快なものとなり得る識別リストバンド、又はブレスレットという結果になった。これに対して、本発明の識別タグシステム１０では、曲げやすいストラップ１６は、その上に直接プリントされた着用者関連情報を記載するのではなく、その上に着用者関連情報がプリントされた他のカード又はラベルを保持するのでもなく、さらに、ＲＦＩＤ回路又はチップを保護して受け取り、支持するための構造を定めるものでもない。そのかわりに、そのような着用者関連情報、及びＲＦＩＤ回路又はチップを、別個に形成された識別タグ１４によって保持する。従って、曲げやすいストラップ１６は、実質的に着用者が最も快適であるように選択された、柔らかいビニルベースのプラスチック等のような極度に柔らかく従順な、さらに望ましくは耐伸縮性の材料で構成することができる。
【００２５】
さらに、本発明の更なる重要な側面より、情報記載識別タグ１４がストラップ１６の外側に取り付けられる。従って、タグ１４は、関連ストラップ１６の幅を超えて伸びる表面領域を持つ、情報を記載するボード外のタグ面を定めるサイズ及び形状で構成される。結果として、識別タグ１４上の利用可能な情報記載表面領域は、直接的な視覚による、及び／又は自動リーダによる素早く簡単な読み取りのための、相当な量の着用者関連データを受け取り、保持するのに充分であり、さらにタグ１４は、特に幼児又は小さい子供のような、小さい人又は物体への取り付けに適した小さいサイズを持つ、さもなければ、任意のかなりの量の着用者関連データを記載するのに最小、又は不充分な表面領域を呈するストラップ幅を持つ曲げやすいストラップ１６を用いて組み付けることもできる。この点に関して、生まれたばかりの乳児、又は小さい子供の手首、又は足首等のまわりに取り付けるのに適したサイズの曲げやすいストラップの幅及び長さは、代替の手段によって素早く簡単に読み取り可能な形で、広範囲の着用者関連情報を記載するのには、一般的には不充分である。
【００２６】
ストラップ１６を、閉じた輪の構成で、選択された着用者に取り付ける時、曲げやすいストラップ１６上に取り付けられた時の比較的堅い識別タグ１４は、その変形せず、実質的に平たん、又は実質的な平面形状を充分保持して、実質的に、又はほぼ平面形状のストラップ帯の配置を提供する。従って、配置された平坦或いはほぼ平坦な帯は、バーコードリーダ、及び／又はリモートリーダとのＲＦＩＤ回路２２の無線通信による、というようなプリント機械読み取り可能なデータ２０の素早く、簡単な、信頼性のある機械読み取りのために、最小の湾曲を持つ、又は湾曲の全くない識別タグ１４上に、着用者関連情報を示す。すなわち、識別タグ１４は、例えば、新生児又は小さい子供の手首又は足首に取り付けられた小さい直径のストラップ１６と関連付けられる高い度合いの湾曲に、直接追随するのに充分なほど曲がらず、このような高い度合いの湾曲は、バーコード読み取りに支障を来たし得る、及び／又はＲＦＩＤ回路２２のブロードキャスト範囲を減らし得る。しかしながら、重要なことに、柔らかく曲げやすいストラップ１６の残りの部分は、非常に快適な方法でではあるが、着用者における固定されたストラップ保持に必要不可欠な高い度合いの湾曲を呈することができる。
【００２７】
識別タグ１４は、そこに着用者関連情報をプリントするための一又はそれ以上のプリンタ機構を通して処理するための単一、又は一元の要素として提供することができ、さらに、そのような一又は複数のプリンタ機構はまた、所望の範囲の着用者関連データをＲＦＩＤ回路２２に入力するための適切なプログラミング手段を含むことができる。そのかわりに、プリント及びプログラミングの促進のため、供給量の、或いは複数の識別タグ１４を、図８に示すプリント機構例３０のような一又はそれ以上のプリンタ／プログラマ機構を通して処理するために、ロール又はシートの形で提供することができ、その供給された各識別タグ１４は、曲げやすい関連ストラップ１６を用いての即座の組み付け、及び特定の人又は物体への取り付けのため、ロール又はシートから取り外し可能である。
【００２８】
特に、１つの好ましい形態により、図４は、図１〜３に示す形式の複数の識別タグ１４の細長いテープ又はストリップ３２を示しており、タグ１４は、互いに端と端をつないで相互接続されており、かつミシン穴３４又は切り込みの入れられたもろい適当な介在線によって互いに分離可能である。図５は、上に重なっている、及び下にある複数のタグ形成層の間に置かれた、各タグ１４内に埋め込まれたＲＦＩＤ回路２２の配置を示す断面図である。図６は、適切な着用者関連情報の各タグ１４への連続した個々の入力のためのプリント機構３０（図８）内に取り付けるのに適した、ロール３６の形で配列された細長いテープ又はストリップ３２を示しており、それは次に、ロール３６からの取り外し、及び曲げやすいストラップ１６（図３）を用いた適当な組み付けのために、機構３０から供給される。各識別タグ１４は、その中に形成される一又はそれ以上のロケ−タポート３８（図４）を含んで、ストリップ３２の光学制御される前進、及びその結果として生じる、プリント機構３０等を通してのプリンタ／プログラマ処理を促進させることができる。図４及び６に示す端と端をつないだ構成とは対照的に、図７は、複数の識別タグ１４が並んだ関係で分離できるように相互接続された代替の、又は変更された細長いテープ又はストリップ１３２を示している。
【００２９】
図９〜１２は、識別タグの変更版を示しており、変更されたタグが参照番号１１４で参照されるが、その他の場合は、構造又は機能の点で図１〜４で示し説明する要素と共通な要素は、共通の参照番号で示されている。示すように、タグ１１４をストラップ１６上に取り付ける時、長方形形状のタグを、その長い次元が曲げやすい関連ストラップ１６の長い次元に対して垂直に伸びるように向け直すということを除いて、識別タグ１１４は一般的には図１〜４の実施形態に準拠するものである。
【００３０】
特に、図９〜１１に示す変更された識別タグ１１４は、上で説明した図１〜３の実施形態に従って、人間読み取り可能な形１８、及びバーコードデータ２０のような機械読み取り可能な形の両方で、着用者関連データを受け取り、支持するための頑丈かつ耐久性のある基板を定める、比較的堅いが、まだ幾分従順な角の丸い構造を持つように構成される。さらに、タグ１１４は、その上に形成される、或いはその中に埋め込まれる、広範囲の着用者関連情報を受け取り、格納する容量を持つＲＦＩＤ回路２２（図１０〜１１）を含むことができる。タグ１１４は、長い方の次元より著しく小さい短い方の次元で定められる、一般的な長方形のサイズ及び形状を持つ。示すように、タグ１１４は、間隔をあけて配置された一組のスロット２４が、それを通しての曲げやすいストラップ１６のスライドフィット受け入れのために、その一方の端の近くに形成される。これらのスロット２４は、一般的にタグ１１４の長い次元と平行に形成され、それにより、タグ１１４を、その長い次元が曲げやすい関連ストラップ１６の長い次元に対して概して垂直に伸びるように向けるように、示されている。この構成では、タグ１１４で定められる広域の情報記載表面領域全体が保持され、さらに、タグ１１４の短い方の幅で定められる実質的に、或いはほぼ平面の形状の配置されたストラップ帯が、ユーザの快適さをさらに高めるために、実質的に最小化される。従って、図１１に最もよく示されるように、タグ領域の大部分は、ストラップ１６に対して横向きに伸びる。
【００３１】
前に本出願で示し、説明したような全ての、変更された識別タグ１１４はまた、単一又は一元の要素として、或いは一又はそれ以上のプリント機構３０（図８）等を通して処理するのに適した、複数の取り外し可能なタグを含むロール又はシートの形で、提供することもできる。図１２は、相互接続している分離可能なミシン穴３４等を持つ細長いテープ又はストリップ３２での識別タグ１１４を示している。図１２はまた、そこに形成されたロケータポート３８を含むような各識別タグ１１４、及び／又はボード内、又はその逆側の反射ストリップ４０を示しており、ストリップ３２の光学制御される前進、及びその結果として生じる、プリント機構３０等を通してのプリンタ／プログラマ処理を促進するように、これらの構造を提供することができる。
【００３２】
図１３は、単一の着用者の手首１２等に付けられた、曲げやすい共通ストラップ１６上に取り付けられた一組の識別タグ１１４を示している。この点に関して、単一の識別タグ１４又は１１４が、特定用途向けに不充分なデータ容量を提供し得るそれらの例では、着用者関連情報のストレージ容量の増大を提供するために、第二の、又は後続のタグをストラップ１６上に取り付けることができる。これらの複数の識別タグを、同時に、又は着用者関連情報が進化し、変化し、及び／又は更新を必要とするような時間にわたって順次、バンド１６に取り付けることができる。タグの一方又は両方を、参照番号１１５で示すように色分けする、さもなければ、一又はそれ以上の目に見える顕著なマーク付けを記載して、医療施設等において患者がバンドを身に付ける時の特定の医学的状態（例えば、アレルギー、糖尿病等）、或いは発送する小包又は物体にバンドを付ける時の特定の発送指示（例えば、速達）のような、特定の情報の素早く簡単な視覚的表示を提供することができる。重要なことに、単一の曲げやすいストラップ１６上での二又はそれ以上の識別タグ１４及び／又は１１４の使用は、タグシステムの全体的な堅さ、或いは粗さを大幅に増大させることはなく、従って、所望の高レベルのユーザの快適さを大幅に損なうこともない。
【００３３】
図１４は、一又はそれ以上の適切なプリント／プログラミング機構を通した適当な処理のために、共通のシート又はプリント可能な用紙４２内に固められた、図１〜３に示す形式の複数の識別タグ１４を示している。各タグ１４は、境界を定めるミシン穴１３４、又は他の適当なもろい線により、シート４２から分離可能である。識別タグ１４に関して、本出願で示し、説明する様々な識別タグの実施形態のどれも、図１４に示すようなプリント可能なシートの形で提供することができるということを、認識及び理解するであろう。
【００３４】
図１５〜１６は、本発明の原理による、代替の好ましいタグシステムを示しており、そこでは、複数の識別タグを、ロール又はプリント可能なシートの形式で、かつ適切な着用者関連識別情報を記載又は保持するようにされた関連セットの状態で提供する。示すような識別タグの各関連セットは、医療施設環境における母親のような第１の人の手首又は足首等に取り付けるようなサイズ及び形状にされた第１のタグ２１４、及びその母親と関係する新生児又は子供のような第２の人の手首又は足首等に取り付けるのに適した、より小さいサイズ及び形状を持つように示された少なくとも１つの第２のタグ３１４を含む。
【００３５】
特に、図１５は、細長いテープ又はストリップ３２の形で提供され、一又はそれ以上の分離可能なミシン穴３４等により相互接続された、関連セット又は群の状態での一連の識別タグ２１４及び３１４を示している。示すようなタグの各関連セット又は群は、医療施設環境において、母親のような大人に取り付けるようにされた比較的大きく曲げやすいストラップ２１６（図１６）へのスライドフィット取り付けのために、そこに一組のストラップスロット２４が形成された、第１の比較的大きい識別タグ２１４を含む。さらに、各セット又は群は、その母親の新生児のようなより小さい人に取り付けるようなサイズにされた、より小さく曲げやすいストラップ３１６（図１６）へのスライドフィット取り付けのため、各々がそこに一組のストラップスロット２４を形成された、図１５に示す一組のより小さいタグ３１４のような、少なくとも１つのより小さい識別タグ３１４を含むように示されている。図１５は、例えば双子での使用のための、２つのそのようなより小さいタグ３１４を示している。望まれる場合には、各関連群を備える識別タグは、同じ或いは同様なサイズにできるということを、当業者は認識し、わかるであろう。
【００３６】
図示された、複数のタグセット又は群のストリップ３２は、図８に示すプリント機構３０のような一又はそれ以上の適切なプリンタ／プログラマ機構を通して処理するようにされている。より大きいタグ２１４の各々の中で、というような識別タグの各セットにおいて、ロケータポート３８を形成し、それにより、一又は複数のプリント機構を通してのストリップ３２の光学制御された前進を促すことができる。そのかわりに、図１２に示した形式の反射ストリップ４０（図１５〜１６に示されない）を使うこともできる。図１５は、人間読み取り可能な情報１８、及びバーコードデータのような関連する機械読み取り可能な情報２０を含むような各識別タグ２１４、３１４を示す。各タグ２１４、３１４は、本出願で前に示し、説明したような着用者関連データのプログラム可能な入力のための、（図１５〜１６に示されない）ＲＦＩＤ回路２２をさらに搭載することができる。
【００３７】
図１５は、細長いテープ又はストリップ３２についての１つの好ましいアレイを示しており、そこでは、より大きい各識別タグ２１４が端と端をつながれた関係で配置され、より小さいタグ３１４の連続した関連するペアが並んだ関係で配置される。図１７は、同様な細長いテープ又はストリップのアレイを示しており、そこでは、より小さいタグ３１４の連続した関連するペアが、関連するより大きいタグ２１４と端と端をつなぐ関係で、並列に配置されている。図１８は、更なる代替の細長いテープ又はストリップのアレイを示しており、そこでは、そこに少なくとも１つのロケータポート３８が形成され、かつミシン穴３４の線等により隣接したタグセット又は群から分離可能であるテープセグメント４４上に、より大きい、及びより小さい識別タグ２１４、３１４の各関連セット又は群が保持される。図１８では、各タグセット又は群が、例えば、関連する乳児等に取り付けられた複数のより小さいタグ３１４と関連付けられる、母親及び父親に取り付けられたストラップでの使用のための、複数の第１のタグ２１４、及び複数の第２のタグ３１４を備える。図１８は、関連ストリップセグメント４４からの分離のためのミシン穴３４’等の更なる線によって境界付けられる、タグ２１４、３１４を示している。
【００３８】
図１９〜２２は、本発明の更なる代替の好ましい実施形態を示しており、そこでは、変更された識別タグ４１４が、人間読み取り可能な情報１８、及び／又は機械読み取り可能なデータ２０を含み、かつこの着用者関連データ１８、２０と同じ、或いはそのうちの幾らかを記載する、少なくとも１つ、好ましくは複数の取り外し可能な接着ラベル４６をさらに含む。結果として生じる、接着ラベル４６を含む識別タグ４１４は、曲げやすいストラップ１６に素早く簡単に取り付けるようにされ、ひいては、選択された人又は物体の手首１２等への素早く簡単な取り付けるようにされている。
【００３９】
特に、変更された識別タグ４１４の各々は、前に説明したように、着用者関連データ１８、２０を含むベース部分４８を含む。また前で説明したように、変更された各タグ４１４はまた、ＲＦＩＤ回路も含むことができる。変更されたタグ４１４はさらに、ラベル４６を保持する拡張セグメント５０を含み、ここで、各ラベル４６には、着用者関連データ１８、２０の全て、又は一部を刻印することができ、さらに、別個のＲＦＩＤ回路２２を組み込むことができる。図１９は、この変更されたタグ４１４を、複数の端と端をつないで相互接続されたタグ４１４を含む細長いテープ又はストリップの形で示しており、一組のストラップスロット２４、及びロケ−タポート３８の各々が、ベース部分４８内に形成される。
【００４０】
図２０に示すように、変更されたタグ４１４は、少なくとも１つのボード内の層５２、及び少なくとも１つのボード外の層５４により形成され、これらの２つの層５２、５４は、通常、ベース部分４８において、接着して貼られる。しかしながら、拡張部分５０において、望まれる時、及び望まれるように、ラベル４６は、そこからはがして分離するように、ボード外の層５４に形成される。すなわち、ボード外の層５４は、感圧性接着フィルム５６が、その下面、及びボード内表面の全体を覆っており、これに対して、ボード内の層５２の上側を、剥離フィルム又はライナ５８が覆って、拡張部分５０全体にわたってのみ広がる。この機構では、ベース部分４８の領域じゅうに、２つの層５２、５４が接着されるが、拡張部分５０のラベル４６は、医療施設環境における患者のカルテ、又は処方箋用紙、或いは患者の試験体を収容するガラス瓶等のようなタグ着用者と関連付けられる他の物体への適当な接着のために、一度に一つ持ち上げる、或いは剥がすことができる。望まれる場合には、ミシン穴３４、或いはもろい線を、ベース部分４８と拡張部分５０との間に形成することができる。
【００４１】
図２１は、（図２２に示すように）タグ４１４を人の手首等に取り付けるための適当な固定要素２６を含む曲げやすいストラップ１６にスライドして取り付けられた接着ラベル４６を含む、変更されたタグ４１４を示している。図１９〜２１に示すように、並んだアレイで、拡張部分５０の長さに沿って、複数のラベル４６を配置する。そのかわりに、図２３に示すように、複数のラベル４６を、拡張部分４６上で端と端をつないだアレイで配向された比較的小さいセット又は群で配置することもできる。
【００４２】
図２４は、特定の人の手首１２に取り付けられているように示されたタグシステム１０により保持される着用者関連情報を読み取るためのリーダ６０を示している。例示のリーダ６０は、識別タグ１４により保持されるＲＦＩＤ回路２２との非接触通信のための、適当な無線通信デバイスを備えることができる、及び／又はリーダ６０は、タグ１４上にプリントされた機械読み取り可能なデータ２０を光学走査、及び読み取るための標準のバーコードリーダ等を備えることができる。リーダ６０は、コンサートホール、スポーツスタジアム、又はアリーナ、遊園地、交通施設等のような施設への入場の許可のために使用される形式の回転式改札口６２に取り付けられる、或いはそれと結合されるように示されている。そのかわりに、バーコードリーダ、及び／又は無線伝送リーダのような手持ち型リーダを、識別タグで保持されるデータの読み取りのために使用することもできる。
【００４３】
図２５〜２９、及び３２は、少なくとも１つの識別タグがそのプリント可能用紙の第１の部分６５において、又はその中で定められ、かつ少なくとも１つ、好ましくは複数の取り外し可能なラベル４６がそのプリント可能用紙の第２の部分６６において、又はその中で定められる、結合プリント可能用紙６４の一つの好ましい形態を示している。説明例では、用紙６４の第１の部分６５は、図１５〜１８に関して本出願の前で示し、説明した識別タグのセットにより一般的に構成される、一組の比較的大きい識別タグ５１４、及び一組の比較的より小さい識別タグ６１４を含む。さらに、説明例は、複数の剥ぎ取り式の裏側接着ラベル４６を含む、用紙６４の第２の部分６６を示している。全て本出願の前で説明したように、タグ５１４、６１４、及びラベル４６の各々は、人間読み取り可能な情報１８、及び／又は機械読み取り可能な情報２０のような、それにプリントされる情報を記載するようにされている。さらに、各タグ５１４、６１４、及びラベル４６はまた、本出願の前で示し、説明したような関連ＲＦＩＤ回路を保持することができ、そこでは、そのようなＲＦＩＤ回路は、各タグ及びラベル内に埋め込まれることができ、従って、図２５〜３２には示されない。レーザ形式プリンタ、或いは望まれる場合には、一般的には図８に示すようなプリント機構３０内に内蔵されることのできる他の適当なプリント手段を通した単一経路によって、というようにプリント可能な情報を用紙６４に付加することができる。
【００４４】
図２７及び３２において最もよく示されるように、プリント可能用紙６４の第１の部分６５は、感圧性接着層のような、実質的に透明な接着剤７０のフィルムで上塗りされた、透明なフィルム材料の裏当てシート６８を含む。裏当てシート６８、及び接着フィルム７０により定められるこの基板は、比較的堅いが幾分曲げやすい表面層７２の背面、又は裏側に固定される。重要なことには、示すように、この表面層７２の背面の大部分は、剥離フィルムライナ又はコーティング７４を保持し、それにより、表面層７２を、その下にある接着フィルム７０からはがすことができる。しかしながら、表面層７２はまた、剥離フィルム７４で裏当てされない、又は裏側を覆われない、その表面層７２の前面又は上側に、プリント可能領域７５及び７６（図３２）を含む、それにより、表面層７４のこれらのプリント可能領域７５、７６は、その下にある接着フィルム７０により、しっかりと裏当てシート６８に接着される。これらのプリント可能領域７５、７６は、将来形成される識別タグ５１４、及び６１４を示し、それぞれに対応する。
【００４５】
プリント可能用紙６４の第１の部分６５内の、識別タグ５１４、６１４のうちの１つを示す各プリント可能領域７５、７６は、５３４（図３２）で示すように、用紙からの素早く簡単な分離に適するように穿孔、或いは打ち抜かれる。これに対して、下にある裏当てシート６８は、５３５で示すように、同様に型穿孔される、或いは打ち抜かれるが、それは、関連タグのプリント可能領域７５又は７６のすぐ下にある第１の部分７７を定め、さらに、同じサイズ及び形状の鏡映しとなる第２の部分７８をその一方の側の端に沿って定める、２つに折り畳めるパターンである。さらに、裏当てシート６８におけるこれらの穿孔、又は打ち抜きは、さらに、次に続く、形成された識別タグの関連ストラップ１６（図３０〜３１）への取り付けのためのストラップスロット２４を定める。同様なストラップスロットをまた、上に重なったプリント可能領域７５、７６内に形成することができる。
【００４６】
この構成では、表面層７２上のプリント可能領域７５、７６への、適切な着用者関連情報の適当なプリンティング及び／又はプログラミングに続いて、図２７に示す型抜き部分の後方への移動によってというように、各識別タグ５１４、６１４を用紙６４から分離することができる。これは、タグ５１４又は６１４を、プリント可能用紙の第１の部分６５から分離する。初期状態では、各穿孔されたタグ５１４、６１４は、裏当てシート６８の下にある第１の部分７７上に直接接着された、関連プリント可能表面層の領域７５又は７６を備え、また、裏当てシート６８の隣接する第２の部分７８を、上に重なっている表面層７２から分離する。重要なことに、表面層７２とその上の裏当てシートのこの第２のセグメント７８との間の剥離フィルム７４の存在が、その上に接着フィルム７０が残っている前記第２の部分７８の比較的自由な剥離を可能にする。次に、より大きいタグ５１４に関しては図２８、より小さいタグ６１４に関しては図２９に示すように、各タグと関連付けられる第２の部分７８を、関連プリント可能表面層部分７５又は７６の前面を折り畳んで、プリント情報が、裏当てシート６８の透明な第２の部分７８によって上に重ねられ、保護された薄層状又は多層、及び実質的に防水性の識別タグ５１４又は６１４を形成することができる。次に、図３０〜３１に示すように、各タグ５１４及び６１４を、曲げやすい関連ストラップ１６にスライドさせて組み付けることができる。
【００４７】
プリント可能用紙６４の第２の部分６６は、上で説明した用紙６４の第１の部分６５の片側において、横向きに伸びる表面層７２の領域により定められる。示すように、望まれる場合には、ミシン穴３４、又は適当なもろい線を、これらの第１の部分６５と第２の部分６６との間に提供して、分離を可能にすることができる。プリント可能用紙６４の第２の部分６６内では、表面層７２の裏側又は後ろ側が、感圧性接着剤のような接着フィルム１７０等により裏当てされ、（不透明とすることのできる）裏当てシート１６８の前側又は上側は、適当な剥離フィルム又はライナ１７４で覆われる。プリント可能用紙６４のこの第２の部分を定める表面層７２の大部分は、ミシン穴１３４又は適当なもろい線により、複数の接着裏当てラベル４６に細分される。
【００４８】
従って、望まれた情報を、識別タグ５１４、６１４、及びラベル４６に入力するのに続いて、型抜き部分の移動によってというように、識別タグが用紙６４から分離されて、次に、全て前で説明したように、曲げやすい関連リストバンドストラップ１６への取り付けのため、折り畳み誘導線に沿って、最終状態まで折り畳まれる。望まれる場合には、次に、ミシン穴３４に沿って切り取って分離することにより、用紙６４の第１の部分６５を、第２のラベル記載部分６６から分離することができる。その後、本出願の前で説明したように、関連する、或いはタグ５１４、６１４と関連付けられる物体への素早く簡単な貼付のために、あらかじめプリントされた剥ぎ取り式の接着ラベル４６を獲得することが望まれる時、第２のラベル記載部分６６を利用することができる。例として、一又は複数の識別タグを、医療施設等における患者識別のために使用する時、プリント可能な用紙の第２の部分６６は、患者のカルテ又はファイルに存続することができ、すぐにその用紙部分６６から剥ぎ取って分離でき、かつ医師の指示書、薬品容器、試験体のガラス瓶、医療レポート等に適当にすぐに接着できる接着ラベル４６を記載している。
【００４９】
図３３〜３６は、例示の２つに折り畳めるタグ７１４及び８１４のような少なくとも１つの識別タグを定める第１の部分１６５、及び少なくとも１つ、好ましくは複数の剥ぎ取り式接着ラベル４６を定める第２の部分１６６、を含む変更されたプリント可能用紙１６４を示している。このタイプでは、不透明となり得る共通裏当てシート１６８（図３４）は、用紙部分１６５、１６６の両方じゅうに広がり、隔離フィルム又はライナ１７４で表面が覆われている。また、共通表面層７２も、用紙部分１６５、１６６の両方じゅうに広がり、感圧性接着剤等の層のような適当な接着フィルム７０で、後ろ側を覆われている。第１の部分１６５内では、表面層７２、及びその下にある接着フィルム７０を通ｒｒｗ広がる適当な打ち抜き又はミシン穴２３４によってというように、将来形成される識別タグ７１４、及び８１４とそれぞれ関連付けられる複数のプリント可能領域１７５、及び１７６を定める。そのようなプリント可能な領域が、各々、片側の端に沿って隣接する、鏡像の、接着裏当てされた、２つに折り畳めるタグ構造を定める。プリント可能領域１７５、１７６内に形成された、更なる打ち抜き、又はミシン穴が、ストラップ取り付けスロット２４を定める。
【００５０】
望まれた情報１８、２０のプリンティング、及びそこで、又はそこに含まれ得るＲＦＩＤ回路への情報の何らかの入力に続いて、図２７〜３２の実施形態に関して前で説明したように、（図３４に示すように）下にある裏当てシート１６８、及び剥離フィルム１７４からの剥ぎ取り式分離によってというように、各識別タグ７１４及び８１４を用紙１６４から分離することができる。次に、もろい線、又は適当な２つに折り畳める指示線１５に沿って、タグを折り畳んで、向かい合った関係で、その裏側に接着フィルム７０を貼って、それにより、曲げやすいリストバンドストラップ１６等（示されていない）への素早く簡単なスライドフィット取り付けのための、多層識別タグを形成することができる。例示の図面は、２つに折り畳めるタグの片側のみに情報がプリントされているのを示している一方で、望まれる場合には、プリント情報を両側に付加することもできるということを、理解するであろう。
【００５１】
プリンティングの後、介在するミシン穴３４（図３３）、又は適当なもろい線によってというように、用紙１６４の第１の部分１６５を、関連する第２の部分１６６から分離することができる。その後、また本出願の前で説明したように、関連する、或いはタグ７１４、８１４と関連付けられる物体への貼着のための、あらかじめプリントされたラベル４６を獲得することが望まれる時、第２のラベル記載部分１６６を利用することができる。
【００５２】
更なる変更されたプリント可能用紙２６４を図３７に示すが、表面層が、用紙の第１の部分１６５にわたって広がる、プリント可能なポリエステル、又は他のプリント可能なプラスチック等のような比較的堅いシート台の第１の表面層部材１７２、及び用紙２６４の第２の部分１６６にわたって広がる、比較的より軽い重量で曲げやすく、典型的には紙ベースのラベル台で形成することのできる第２の表面層部材２７２、により定められるということを除いて、本発明のこのタイプは、図３３〜３６に示して説明する実施形態に対応する。これらの第１及び第２の表面層部材１７２及び２７２は、共通裏当てシート１６８により、並んだ関係で支持される。図３３〜３６に関して前で説明したように、タグ９１４のような識別タグ、及び剥ぎ取り式関連ラベル４６が形成され、使用するようにされている。
【００５３】
図３８〜３９は、プリント可能用紙３６４の更なる変形を示しており、そこでは、裏当てシート１６８が、用紙の第２の部分１６６全体にわたって、剥離フィルム又はライナ１７４で表面を覆われるが、第１の部分１６５上では剥離フィルムを含まない。このタイプでは、裏側の接着コーティング７０を持つ剥ぎ取り式ラベル４６がまた、紙ベースのラベル台等の打ち抜き表面層２７２によって定められるように、第２の部分１６６上に提供される。プリント可能用紙３６４の第１の部分１６５は、前記第１の部分１６５の表面層１７２を定めるプリント可能なプラスチックシート台等のようなより堅い、及び／又はより頑丈な材料で定めることができる。この実施形態では、前記第１の部分１６５上のタグ１０１４及び１１１４のような一又はそれ以上の識別タグが、最終タグのサイズ及び形状に対応する周辺形状の、境界線打ち抜き、ミシン穴、又はもろい線３３４等により定められる。用紙３６４の第１の部分１６５では剥離フィルム１７４が無いため、各識別タグ１０１４、１１１４は、表面層１７２の裏側の接着層７０により、下にある裏当てシート１６８と接着される。
【００５４】
プリント情報、及び他の着用者関連情報の、用紙３６４の第１の部分１６５上の各タグ１０１４、１１１４への付加の後、曲げやすいストラップ、又はバンド（図３８〜３９に示されない）との組み付けのため、型抜き部分の移動（図３９）によってというように、各識別タグを分離することができる。その後、本出願の前で説明したように、用紙３６４の第１の部分１６５を、ミシン穴又は打ち抜き３４に沿って分離することができ、第２の部分１６６を、その上に接着ラベル４６を持ったまま残す。
【００５５】
図４０〜４１は、プリント可能用紙４６４の更なる変形を示しており、これは、裏当てシート１６８は、片側の端が用紙の関連する第２の部分１６６を短い距離だけ越えて終端し、かつ裏当てシート１６８のこちら側の端が、接着重ね継ぎ又はビード８０（図４１）等によって、プリント可能用紙の第１の部分１６５の片側の端に固定されるということを除いて、図３８〜３９で示して説明したものと同様である。更なる同様な変形を図４２に示しており、ここでは、変更されたプリント可能用紙５６４は、裏当てシート１６８が、曲げやすいヒンジ型ウェブ接合１８０等により、用紙の第２の部分１６６の片側の端に沿って、用紙の第１の部分１６５の片側の端に接続されている。図４０〜４２の実施形態では、本出願の前で説明したように、識別タグ及びラベルが形成され、使用するようにされている。
【００５６】
図４３は、前で説明した図２５〜４２に示す実施形態のいずれかの１つに対応し得る、プリント可能用紙６６４についての更なる実施形態を示しているが、ここでは、用紙６６４の第１の部分１６５上に形成された各識別タグは、図２０〜２２に関して本出願の前で示して説明したような、ラベルを記載した識別タグ４１４と対応し得る。示すように、プリント可能用紙６６４の第２の部分１６６はまた、複数の剥ぎ取り式ラベル４６を保持する。
【００５７】
図４４は、プリント可能用紙７６４についてのまた更なる代替の実施形態を示しており、ここでは、複数の識別タグ１４及び１１４が用紙の第１の部分１６５上に形成され、前記タグ１４、１１４の一又はそれ以上が色分けされる、さもなければ１１５において示すように、容易に目に見える、或いは容易に識別可能なフラグ、又は他の言葉及び／又は記号を組み込んでいて、その一又は複数のタグを身に付けた人又は物体と関連付けられる一又はそれ以上の特別な状態に関して、人々に警告する。この点に関しては、図１３に関して本出願の前で示して説明したように、タグ１４、１１４を、共通のバンド又はストラップ１６と組み付けることができる。また、プリント可能用紙７６４の第２の部分１６６は、複数の剥ぎ取り式ラベル４６を保持する。
【００５８】
本発明の改良された識別タグ及び関連タグシステムにおける、及びそれらへの、様々な更なる変更及び改良が、当業者には明らかであろう。例えば、様々なタグの実施形態、及び様々なプリント可能用紙の実施形態のいずれか１つに関して、本出願で示して説明した特徴を、他の開示された実施形態のいずれか１つで、又はそれにおいて用いることができるということを、当業者は認識し、わかるであろう。さらに、その様々な実施形態の全てにおいて、医療施設等における患者の識別、軍事又は産業設備のようなセキュリティ保護施設、及び刑務所等における人員識別及び／又はアクセス制御、遊園地、及びコンサート、及びスポーツイベント等のようなイベントにおける保護者識別、空港及び他の交通機関、及び乗客及び／又は手荷物の識別、製品、及び在庫、及び発送小包の識別及び追跡、及び動物管理等を含むがそれらに限定されない、人又は物体が関与する広範囲又は様々な識別用途において、本識別タグ及びタグシステムを使用することができるということを、当業者は理解するであろう。従って、添付の特許請求の範囲で示すようなものを除いて、前述の説明、及び添付図面としては、本発明についての制限は全く意図されていない。
【図面の簡単な説明】
【００５９】
【図１】リストバンド等に取り付けられ、人の手首等につけられているように示された、本発明により構成された識別タグを示す透視図である。
【図２】一部分を剥離して内部構造の詳細を示している、図１に示す識別タグの平面図である。
【図３】リストバンド等にスライドさせて取り付けられた図１及び２の識別タグを示す、拡大平面図である。
【図４】図１及び２の識別タグに対応する複数の識別タグを備える細長いストリップを示す平面図であり、端と端をつなぐ関係で、取り外し可能に相互接続された複数の識別タグを示している。
【図５】概して図４の線５−５で取られた、拡大された断片の断面図である。
【図６】ロールの形で提供された図４の細長いストリップを示す透視図である。
【図７】図４と同様な断片平面図であるが、並んだ関係で、取り外し可能に相互接続された複数の識別タグを備える細長いストリップを示している。
【図８】図１〜７に示す形式の連続した識別タグを一定量出すためのディスペンサを示す透視図であり、さらに、このディスペンサは、出された各識別タグに、人間読み取り可能な形及び／又は機械読み取り可能な形で、情報を付加するための手段を内蔵することができる。
【図９】図１と同様な透視図であるが、リストバンド等に取り付けられ、人の手首につけらているように示された、本発明の代替の好ましい形態により構成された識別タグを示している。
【図１０】一部分を剥離して内部構造の詳細を示した、図９に示す識別タグの平面図である。
【図１１】リストバンド等にスライドさせて取り付けられる、図９及び１０の識別タグを示す拡大平面図である。
【図１２】図１の識別タグに対応する複数の識別タグを示す平面図であり、端と端をつなぐ関係で、取り外し可能に相互接続された複数の識別タグを示している。
【図１３】図９と同様な透視図であるが、リストバンド等に取り付けられ、人の手首につけられているように示された、図９及び１０に示す形式の複数の識別タグを示している。
【図１４】図１及び２に示す形式の複数の取り外し可能な識別タグを記載したシートを示す平面図である。
【図１５】例えば、母親及び幼児のような関連のある大人及び子供による使用、というような使用のために、相対的により大きい、及び比較的より小さい識別タグの、隣接し、取り外し可能に相互接続された群を備える細長いストリップを示す平面図である。
【図１６】それぞれ、より大きい或いは大人サイズのリストバンド等、又はより小さい或いは子供サイズのリストバンド等に取り付けられた、図１５に示すより大きい方の識別タグを示す平面図である。
【図１７】図１５及び１６に示す、相対的により大きい識別タグ、及び比較的小さい隣接した識別タグを備える細長いストリップを示す平面図であるが、しかし、ここでは、識別タグが代替の構成で配置される。
【図１８】図１５及び１７と同様な平面図であるが、ここでは、隣接するより大きい識別タグ、及びより小さい識別タグを備える細長いストリップを示す、更なる代替の構成で配置する。
【図１９】各々が複数の個々の取り外し可能な接着ラベルを搭載した、取り外し可能に相互接続された識別タグの連続を備える細長いストリップを示す平面図である。
【図２０】図１９に示す各識別タグの構成の詳細を示した、分解透視図である。
【図２１】リストバンド等にスライドさせて取り付けられた、図１９及び２０の識別タグを示す平面図である。
【図２２】人の手首につけられた、図２１の識別タグ、及びリストバンドを示す透視図である。
【図２３】図１９と同様な平面図であるが、代替の構成による、複数の接着ラベルと取り外し可能に相互接続された識別タグの連続を備える細長いストリップ、を示している。
【図２４】本発明の識別タグの１つの上にある情報を読み取るためのリーダを内蔵した回転式改札機構を示す透視図である。
【図２５】用紙の第１の部分上に配置された少なくとも１つの識別タグ、及び用紙の第２の部分上に形成された複数の接着ラベル、を含むプリント可能用紙を示す前面の立面図である。
【図２６】図２５に示すプリント可能用紙の裏側の立面図である。
【図２７】概して図２５の線２７−２７で取られた分解断面図である。
【図２８】図２５〜２７のプリント可能用紙から分離された第１の識別タグの、前面の立面図である。
【図２９】図２５〜２７のプリント可能用紙から分離された第２の識別タグの、透視図である。
【図３０】リストバンド等にスライドさせて取り付けられた図２８の識別タグを示す、拡大平面図である。
【図３１】リストバンド等にスライドさせて取り付けられた図２９の識別タグを示す、拡大平面図である。
【図３２】図２５〜２７のプリント可能用紙の構造の詳細を示している。
【図３３】更なる代替の好ましい形態の前面の立面図であり、用紙の第１の部分上に配置された少なくとも１つの識別タグ、及び用紙の第２の部分上に形成された複数の接着ラベルを含む変更されたプリント可能用紙を示している。
【図３４】概して図３３の線３４−３４でとられた分解断面図である。
【図３５】図３３〜３４のプリント可能用紙から分離された識別タグの透視図である。
【図３６】図３５の識別タグの更なる透視図である。
【図３７】図３４と同様な分解断面図であるが、更なる変更されたプリント可能用紙を示している。
【図３８】更なる代替の好ましい形態の前面の立面図であり、用紙の第１の部分上に配置された少なくとも１つの識別タグ、及び用紙の第２の部分上に形成された複数の接着ラベルを含む、更なる変更されたプリント可能用紙を示している。
【図３９】概して図３８の線３９−３９でとられた分解断面図である。
【図４０】また更なる代替の好ましい形態の前面の立面図であり、用紙の第１の部分上に配置された少なくとも１つの識別タグ、及び用紙の第２の部分上に形成された複数の接着ラベルを含む、更なる変更されたプリント可能用紙を示している。
【図４１】概して図４０の線４１−４１でとられた分解断面図である。
【図４２】図４１と同様な分解断面図であるが、更なる変更されたプリント可能用紙を示している。
【図４３】本発明のまた更なる代替の好ましい形態を表す、更なる変更されたプリント可能用紙を示す、分解透視図である。
【図４４】本発明の更なる好ましい実施形態を備える、更なる変更されたプリント可能用紙を示す、前面の立面図である。
【図１】
2007517282.tif 000003
【図２】
2007517282.tif 000004
【図３】
2007517282.tif 000005
【図４】
2007517282.tif 000006
【図５】
2007517282.tif 000007
【図６】
2007517282.tif 000008
【図７】
2007517282.tif 000009
【図８】
2007517282.tif 000010
【図９】
2007517282.tif 000011
【図１０】
2007517282.tif 000012
【図１１】
2007517282.tif 000013
【図１２】
2007517282.tif 000014
【図１３】
2007517282.tif 000015
【図１４】
2007517282.tif 000016
【図１５】
2007517282.tif 000017
【図１６】
2007517282.tif 000018
【図１７】
2007517282.tif 000019
【図１８】
2007517282.tif 000020
【図１９】
2007517282.tif 000021
【図２０】
2007517282.tif 000022
【図２１】
2007517282.tif 000023
【図２２】
2007517282.tif 000024
【図２３】
2007517282.tif 000025
【図２４】
2007517282.tif 000026
【図２５】
2007517282.tif 000027
【図２６】
2007517282.tif 000028
【図２７】
2007517282.tif 000029
【図２８】
2007517282.tif 000030
【図２９】
2007517282.tif 000031
【図３０】
2007517282.tif 000032
【図３１】
2007517282.tif 000033
【図３２】
2007517282.tif 000034
【図３３】
2007517282.tif 000035
【図３４】
2007517282.tif 000036
【図３５】
2007517282.tif 000037
【図３６】
2007517282.tif 000038
【図３７】
2007517282.tif 000039
【図３８】
2007517282.tif 000040
【図３９】
2007517282.tif 000041
【図４０】
2007517282.tif 000042
【図４１】
2007517282.tif 000043
【図４２】
2007517282.tif 000044
【図４３】
2007517282.tif 000045
【図４４】
2007517282.tif 000046
【国際調査報告】
2007517282.tif 000047